【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
ａ）複数のシーブを含み、各々が貫通穴を備える延長部分を有する、第１のシーブハウジングであって、その下端に、ロック面を備えるハウジングフレームを備える第１のシーブハウジングと、
ｂ）各々が貫通穴を備える複数のブラケットを有する第１のクロスビームであって、前記複数のブラケットのうちの少なくとも１つが、前記第１のシーブハウジングと前記第１のクロスビームとの間の相対位置の複数の角度に対応する複数の表面を有し、前記複数の表面が前記ロック面に対応し、前記複数の角度の各々においてそれらの間に間隙を形成する、第１のクロスビームと、
ｃ）前記ハウジングの前記延長部分の前記穴と、前記第１のクロスビームの前記複数のブラケットの前記穴との中に回転可能に拘束される第１のシャフトと、
ｄ）前記ロック面と前記複数の表面のいずれかとの間の前記間隙に設置されるサイズのロックバーであって、所定位置にあるとき、前記第１のシーブハウジングの前記第１のクロスビームに対する動きを実質的に静止させるロックバーと、
を含む、クレーン用フックブロック。
【請求項２】
前記ハウジングフレームに取り付けられて前記ロック面を設けるクロスバーをさらに含み、前記クロスバーは、それぞれの相対位置の角度において前記複数の表面の各々と平行なチャネルを備え、前記ロックバーが前記チャネルに嵌入するサイズである、請求項１に記載のフックブロック。
【請求項３】
前記相対位置の角度が少なくとも０度、４５度、及び９０度を含み、前記相対位置の角度の１つに関連する前記間隙内に前記ロックバーを設置すると、前記第１のシーブハウジングと前記第１のクロスビームとが当該角度で実質的に静止する、請求項１に記載のフックブロック。
【請求項４】
前記第１のクロスビームが、２つのブラケット間に前記第１のシャフトと回転可能に接続された少なくとも１つの安定用脚部であって、一端に平坦部分を、及び前記平坦部分と反対側の端部にカウンタウェイトを有することで、前記第１のクロスビームが水平に横倒しになっている間、前記平坦部分が地面に対して正しく位置決めされるように重心を生み出す安定用脚部を備える、請求項１に記載のフックブロック。
【請求項５】
前記第１のクロスビームが、前記２つのブラケットの間にストッパを備え、垂直時に、前記第１のクロスビームに対して測ったときの、前記安定用脚部の９０度を超えた回転を防止する、請求項４に記載のフックブロック。
【請求項６】
前記間隙から隔たった位置で前記第１のクロスビームに接続される保管チャンバであって、前記ロックバーを保管するサイズ及び構成の保管チャンバ
をさらに含む、請求項１に記載のフックブロック。
【請求項７】
少なくとも第２のシーブハウジングと、第２のクロスビームと、第２のシャフトとをさらに含み、前記第２のシャフトが、前記第２のハウジングの延長部分の穴と、前記第２のクロスビームの複数のブラケットの穴との中に回転可能に拘束される、請求項１に記載のフックブロック。
【請求項８】
各クロスビームが、対向プレートであって、各々がその下部に互いに整列した２つの第１の開口部を有する対向プレートを含み、前記フックブロックが、
対向プレートを有するイコライザビームであって、各々がその上端に互いに整列する４つの第２の開口部を有し、前記イコライザビームの前記整列した第２の開口部のうちの少なくとも２組は、各クロスビームの第１の開口部の前記整列した組のうちの１つとも整列し、それにより前記イコライザビームが前記第１のクロスビーム及び第２のクロスビームと枢動可能に接続される、イコライザビーム
をさらに含む、請求項７に記載のフックブロック。
【請求項９】
各クロスビームの前記整列した第１の開口部の組のうちの他方が、前記整列した第２の開口部の他の２組と部分的に整列し、前記第１のクロスビーム及び前記第２のクロスビーム及び前記イコライザビームをそれらの各対向プレートにおいて貫通する一対の三日月形開口部を形成し、前記フックブロックが、
前記三日月形開口部に挿入され、組立て中における前記イコライザビームと前記第１のクロスビームと前記第２のクロスビームとの間の相対的な動きを静止させるサイズの複数のピン
をさらに含む、請求項８に記載のフックブロック。
【請求項１０】
前記イコライザビームが複数のさらなる開口部をさらに備え、前記フックブロックが動作している間に、前記複数のピンを保管する、請求項９に記載のフックブロック。
【請求項１１】
前記第１のシーブハウジング及び前記第２のシーブハウジングが、各々５個のシーブを含む、請求項７に記載のフックブロック。
【請求項１２】
第３のシーブハウジング及び第４のシーブハウジングをさらに含み、前記第１のシャフトが、前記第３のシーブハウジングの延長部分の穴の中にも回転可能に拘束され、且つ前記第２のシャフトが、前記第４のシーブハウジングの延長部分の穴の中にも回転可能に拘束される、請求項７に記載のフックブロック。
【請求項１３】
ａ）前記第１のシーブハウジングと前記第３のシーブハウジングとを接続する第１の接続ビームと、
ｂ）前記第２のシーブハウジングと前記第４のシーブハウジングとを接続する第２の接続ビームと、
ｃ）前記第１のビームと前記第２の接続ビームとを接続する第３の接続ビームと、
をさらに含む、請求項１２に記載のフックブロック。
【請求項１４】
各シーブハウジングがその上端に枢着された接続リンクを有し、該接続リンクに前記第１若しくは第２接続ビームが接続されている請求項１３に記載のフックブロック。
【請求項１５】
前記第２のシーブハウジング及び前記第４のシーブハウジングが、前記第１のシーブハウジング及び前記第３のシーブハウジングと同じシーブ総数を収容する、請求項１２に記載のフックブロック。
【請求項１６】
前記第１のシーブハウジング、前記第２のシーブハウジング、前記第３のシーブハウジング及び前記第４のシーブハウジングが、各々３個のシーブを収容する、請求項１５に記載のフックブロック。
【請求項１７】
前記第１のシーブハウジング及び前記第２のシーブハウジングが、各々５個のシーブを含み、且つ、前記第３のシーブハウジング及び前記第４のシーブハウジングが、各々３個のシーブを収容する、請求項１５に記載のフックブロック。
【請求項１８】
第５のシーブハウジング及び第６のシーブハウジングをさらに含み、前記第１のシャフトが、前記第５のシーブハウジングの延長部分の穴の中にも回転可能に拘束され、且つ前記第２のシャフトが、前記第６のシーブハウジングの延長部分の穴の中にも回転可能に拘束され、前記第５のシーブハウジング及び前記第６のシーブハウジングが、各々３個のシーブを収容する、請求項１７に記載のフックブロック。
【請求項１９】
ａ）前記第１、第３及び第５のシーブハウジングを接続する第１の接続ビームと、
ｂ）前記第２、第４及び第６のシーブハウジングを接続する第２の接続ビームと、
ｃ）前記第１及び第２の接続ビームを接続する第３の接続ビームと、
をさらに含む、請求項１８に記載のフックブロック。
【請求項２０】
各シーブハウジングがその上端に枢着された接続リンクを有し、該接続リンクに前記第１若しくは第２接続ビームが接続されている請求項１９に記載のフックブロック。
【請求項２１】
ａ）複数のシーブを含み、且つ貫通穴をそれぞれ備える延長部分を有する複数のシーブを含むシーブハウジングと、
ｂ）貫通穴をそれぞれ備える複数のブラケットを有するクロスビームと、
ｃ）前記クロスビーム内の前記ブラケットのうちの２つの間に位置決めされた安定用脚部であって、貫通穴を有し、且つ、その一方の側に平坦部分を、そのもう一方の側にカウンタウェイトを有することで、前記クロスビームが水平に横倒しになっている間、前記平坦部分が地面に対して正しく位置決めされるように重心を定める安定用脚部と、
ｄ）前記ハウジングの前記延長部分の前記穴と、前記クロスビームの前記複数のブラケットの前記穴と、前記安定用脚部の前記穴との中に回転可能に拘束されるシャフトであって、従って前記クロスビームが地面に横倒しにされると、前記安定用脚部が自由に回転して前記平坦部分が地面に接触し、前記シーブハウジングが転倒しないよう安定させる、シャフトと、
ｅ）前記クロスビームの前記２つのブラケットの間に接続されたストッパであって、垂直時に、前記クロスビームに対して測ったときの、前記安定用脚部の９０度を超えた回転を防止するストッパと、
を含む、クレーン用フックブロック。
【請求項２２】
前記安定用脚部が、リービング中に地面に横置きされた前記フックブロックの下部分の反対側でその前記平坦部分が地面に接触するように構成される、請求項２１に記載のフックブロック。
【請求項２３】
前記クロスビームが複数の安定用脚部を備えて地面との複数の接触点を有する前記シーブハウジングを形成する、請求項２１に記載のフックブロック。
【請求項２４】
クレーン用フックブロックを組み立てる方法であって、
ａ）前記シーブハウジングの上端に固定された枢動可能な接続リンクを備えた、複数のシーブを含むシーブハウジングを用意するステップであって、前記シーブハウジングが、貫通穴をそれぞれ備える複数の延長部分と、前記複数のシーブの下方に位置決めされたハウジングフレームとを備え、前記ハウジングフレームがロック面を有する、ステップと、
ｂ）クロスビームを横にして置くステップであって、前記クロスビームが、地面に定置する安定用脚部を有する、ステップと、
ｃ）前記シーブハウジングの前記延長部分を前記クロスビームの複数のブラケット内に位置決めするステップであって、各ブラケットが貫通穴を有する、ステップと、
ｄ）前記シーブハウジングの前記延長部分の前記穴を前記ブラケットの前記穴と整列させるステップと、
ｅ）前記シーブハウジングの前記延長部分の前記穴と前記ブラケットの前記穴とを通してシャフトを挿入するステップと、
ｆ）前記シャフトの端部にキャップを固定するステップであって、それにより前記穴に対する横方向の移動が防止されるステップと、
ｇ）前記ハウジングフレームの前記ロック面と前記クロスビームのブラケットの表面との間にロックバーを挿入するステップであって、それにより以降の組立て中における前記シーブハウジングと前記クロスビームとの間の相対的な動きが防止されるステップと、
を含む、方法。